(57)【要約】      （修正有）【課題】異なるサイズの袋が製造される場合、機械を置換する必要がある。このため、包装機械及び関連コンベヤをシャットダウンする。【解決手段】スリップコンベヤ（５０）が製品を送達する。コンベヤ（５０）は、典型的には包装機械と関連づけられる計量機械（５３）に製品を送達する。スリップコンベヤ（５０）は、複数の分離したフィンガが設けられた送達部（５７）を含む。フィンガ間のスロット（５８）が方向（５２）において長手方向に延びる。小さなポテトチップのような小さな製品が、コンベヤ（１０）の長手延伸縁（６３）に隣接して配置され、小さな製品は、関連コンベヤ（６２）への製品送達を与える切れ目（２６A）を通り抜ける。【選択図】図１
2013209221.tif 000002
【特許請求の範囲】
【請求項１】
ここに開示されるコンベヤアセンブリであって、
長手延伸コンベヤ表面を有する第１スリップコンベヤであって、前記表面に沿って被運搬製品が、前記第１コンベヤの長手方向にある下流第１方向に動く第１スリップコンベヤと、
長手延伸コンベヤ表面を有する第２スリップコンベヤであって、前記表面に沿って前記被運搬製品が、前記第２コンベヤの長手方向にある下流第２方向に動き、前記第２コンベヤは、前記第２コンベヤの長手方向に直列配置される複数のコンベヤセグメントを含み、前記セグメントは、前記第２コンベヤから製品を送達するべく協働する複数の端部を有する第２スリップコンベヤと
を含み、
前記第１コンベヤは、前記第２コンベヤの上流部の上方において前記第２コンベヤの短手方向に延びる送達部を有し、前記送達部は、前記第１コンベヤの複数の長手延伸スロットを有し、各スロットは短手幅を有し、各スロットの幅が前記第１方向に増大し又は前記複数のスロットの幅が前記第１方向に増大するコンベヤ。
【請求項２】
各スロットは、各スロットが広い下流部に至る狭い上流部を有するように、前記方向において短手幅が増大する、請求項１に記載のコンベヤ。
【請求項３】
前記スロットは、短手幅を有する上流スロットと、前記上流スロットの短手幅よりも大きい短手幅を有する下流スロットとを含む、請求項１又は２に記載のコンベヤ。
【請求項４】
前記第１コンベヤの表面は、前記スロットまで延びる長手延伸樋を有する、請求項１、２、又は３に記載のコンベヤ。
【請求項５】
前記スロットは、前記第１コンベヤの先端まで延びる、請求項１から４のいずれか一項に記載のコンベヤ。
【請求項６】
前記第１方向は、前記第２方向に対して一般に直交する、請求項１から５のいずれか一項に記載のコンベヤ。
【請求項７】
前記セグメントは、
前記被運搬製品が支持される第１長手表面を有する第１コンベヤトレイと、
前記被運搬製品が支持される第２長手延伸表面を有する第２コンベヤトレイであって、前記第２表面は前記第１トレイから前記材料を受け取るべく位置決めされる第２コンベヤトレイと、
前記トレイのそれぞれに、前記材料を所定方向に運搬するべく長手方向の振動を引き起こす駆動アセンブリと
を含み、
前記第１コンベヤトレイは、前記第２コンベヤトレイに隣接して配置される端部を含み、前記端部は、前記第１トレイと前記第２トレイとの間に長手延伸切れ目を与えるべく前記第２トレイに対して可動であり、前記切れ目を介して前記アセンブリから製品が送達され、前記切れ目は、所望サイズの面積を有し並びに長手長さ及び短手幅を有し、前記幅は、前記第２トレイに対する前記端部の動きによって調整して前記面積のサイズを変更することができる、請求項１から６のいずれか一項に記載のコンベヤ。
【請求項８】
前記第１トレイは長手延伸ベースを含み、前記第１コンベヤトレイの端部は、前記ベースに対する長手方向の動きを目的として前記ベースに動作的に関連づけられる、請求項７に記載のコンベヤ。
【請求項９】
前記駆動機構は第１モータ及び第２モータを含み、前記第１モータは、前記ベース及び第１コンベヤトレイの長手方向振動を引き起こし、前記第２モータは、前記第１コンベヤトレイの端部と前記ベースとの間の長手方向の相対的な動きを引き起こす、請求項７又は８に記載のコンベヤ。
【請求項１０】
前記ベースは、前記第１表面を与える長手延伸底壁と、一対の長手延伸側壁とを含み、各側壁は、前記底壁が間に配置されるように前記底壁から上に向かって延び、前記第１コンベヤトレイの端部は前記ベースに対して入れ子とされる、請求項７、８、又は９に記載のコンベヤ。
【請求項１１】
前記セグメントは、
被運搬物体が支持される第１長手延伸表面を有する第１コンベヤトレイと、
第２長手延伸表面を有する第２コンベヤトレイであって、前記長手表面は、前記第１表面から前記第２表面に材料が運搬されるように配置される第２コンベヤトレイと、
双方のトレイに、その長手方向振動を引き起こすべく動作的に関連づけられる駆動機構であって、前記材料の所定方向における前記表面に沿った運搬を引き起こす駆動機構と
を含み、
前記第１コンベヤトレイは、
長手延伸ベースと、
前記ベースに動作的に関連づけられて前記ベースに対して可動な長手延伸端部と
を含み、
前記端部はまた、前記第１トレイと前記第２トレイとの間に切れ目を与える動作を可能とするべく前記第２コンベヤトレイに対して可動であり、前記切れ目を介して前記アセンブリからの製品が送達される、請求項１から６のいずれか一項に記載のコンベヤ。
【請求項１２】
前記長手延伸端部は、前記切れ目を与えるべく前記ベースに対して長手方向に動く、請求項１１に記載のコンベヤ。
【請求項１３】
前記ベースは、長手延伸底壁と、前記底壁が間に配置されるように前記底壁から上に向かって延びる一対の長手延伸側壁とを含み、前記長手延伸端部は前記ベースに対して入れ子とされる、請求項１１又は１２に記載のコンベヤ。
【請求項１４】
前記端の長手延伸部分は、前記方向の一般に短手に延びる前縁を有する長手延伸端部底壁を有する、請求項１１又は１２に記載のコンベヤ。
【請求項１５】
前記前縁は、一般に直線であり、前記方向に対して鋭角をなして延びる、請求項１４に記載のコンベヤ。
【請求項１６】
前記駆動機構は第１モータを含み、前記第１モータは、双方のトレイに対し前記長手方向の振動を引き起こすべく動作的に関連づけられ、前記駆動機構は第２モータを含み、前記第２モータは、前記ベース及び前記端部に対しこれらの間の相対的な動きを引き起こすべく動作的に関連づけられる、請求項１から１５のいずれか一項に記載のコンベヤ。
【発明の詳細な説明】
【技術分野】
【０００１】
本発明はコンベヤアセンブリに関し、排他的ではないが詳しくは、袋に包含される製品を送達するコンベヤアセンブリに関する。
【背景技術】
【０００２】
スナック食品を包装する場合、当該スナック食品は計量機械に送達される。計量機械から当該食品のバッチが、袋を形成する包装機械まで送達される。伝統的に、当該袋は一つのサイズであった。しかしながら最近は、小さな袋が形成され、「一人分（single serve）」袋として知られている。当該小さな袋が、配布を目的して大きな袋に包含される。したがって、今や、いくつかの異なるサイズの袋が製造されている。
【０００３】
スナック食品を計量機械に送達するべくスリップコンベヤが使用されている。当該コンベヤは長手延伸トレイを含む。当該トレイは、当該コンベヤに沿って材料を移送するべく長手方向に振動（往復運動）する。長手方向の振動は一方向が速く、他方向が遅い。材料は遅い方向で輸送される。スリップコンベヤを含むコンベヤは、特許文献１並びに特許文献２及び特許文献３に記載されている。
【０００４】
包装業界、特にスナック食品の包装に関連する産業において、製品は一群の計量機械に送達される。当該計量機械のそれぞれは、特許文献４に記載の包装機械のような関連する包装機械と連通する。スリップコンベヤのようなコンベヤが製品を計量機械まで送達する。
【０００５】
上述の袋製造構成は、包装機械が、一つの特定サイズの袋を形成するべく設定されるという欠点を有する。異なるサイズの袋が製造される場合、当該機械は変更する必要がある。特に前の機械を置換する必要がある。このため、包装機械及び関連コンベヤをシャットダウンする必要がある。したがって、当該製造が中断されるというさらなる欠点もある。
【先行技術文献】
【特許文献】
【０００６】
【特許文献１】米国特許第７２２８９５７号明細書
【特許文献２】米国特許出願第１１／１０８０５２号明細書（２００５年４月１４日出願）
【特許文献３】米国特許出願第１１／２６３７６２号明細書（２２０５年１０月３１日出願）
【特許文献４】米国特許第４６６３９１７号明細書
【発明の概要】
【発明が解決しようとする課題】
【０００７】
本発明の目的は、上述の欠点の少なくとも一つを克服又は実質的に改善することにある。
【課題を解決するための手段】
【０００８】
ここに開示されるコンベヤアセンブリは、
長手延伸コンベヤ表面を有する第１スリップコンベヤであって、前記表面に沿って被運搬製品が、前記第１コンベヤの長手方向にある下流第１方向に動く第１スリップコンベヤと、
長手延伸コンベヤ表面を有する第２スリップコンベヤであって、前記表面に沿って前記被運搬製品が、前記第２コンベヤの長手方向にある下流第２方向に動き、前記第２コンベヤは、前記第２コンベヤの長手方向に直列配置される複数のコンベヤセグメントを含み、前記セグメントは、前記第２コンベヤから製品を送達するべく協働する複数の端部を有する第２スリップコンベヤと
を含み、
前記第１コンベヤは、前記第２コンベヤの上流部の上方において前記第２コンベヤの短手方向に延びる送達部を有し、前記送達部は、前記第１コンベヤの複数の長手延伸スロットを有し、各スロットは短手幅を有し、各スロットの幅が前記第１方向に増大し又は前記複数のスロットの幅が前記第１方向に増大する。
【０００９】
好ましくは、各スロットは、各スロットが広い下流部に至る狭い上流部を有するように、前記方向において短手幅が増大する。
【００１０】
代替的な好ましい形態では、スロットは、短手幅を有する上流スロットと、前記上流スロットの短手幅よりも大きい短手幅を有する下流スロットとを含む。
【００１１】
好ましくは、前記第１コンベヤの表面は、前記スロットまで延びる長手延伸樋を有する。
【００１２】
好ましくは、前記スロットは、前記第１コンベヤの先端まで延びる。
【００１３】
好ましくは、前記第１方向は、前記第２方向に対して一般に直交する。
【００１４】
好ましくは、前記セグメントは、
前記被運搬製品が支持される第１長手表面を有する第１コンベヤトレイと、
前記被運搬製品が支持される第２長手延伸表面を有する第２コンベヤトレイであって、前記第２表面は前記第１トレイから前記材料を受け取るべく位置決めされる第２コンベヤトレイと、
前記トレイのそれぞれに、前記材料を所定方向に運搬するべく長手方向の振動を引き起こす駆動アセンブリと
を含み、
前記第１コンベヤトレイは、前記第２コンベヤトレイに隣接して配置される端部を含み、前記端部は、前記第１トレイと前記第２トレイとの間に長手延伸切れ目を与えるべく前記第２トレイに対して可動であり、前記切れ目を介して前記アセンブリから製品が送達され、前記切れ目は、所望サイズの面積を有し並びに長手長さ及び短手幅を有し、前記幅は、前記第２トレイに対する前記端部の動きによって調整して前記面積のサイズを変更することができる。
【００１５】
好ましくは、前記第１トレイは長手延伸ベースを含み、前記第１コンベヤトレイの端部は、前記ベースに対する長手方向の動きを目的として前記ベースに動作的に関連づけられる。
【００１６】
好ましくは、前記駆動機構は第１モータ及び第２モータを含み、前記第１モータは、前記ベース及び第１コンベヤトレイの長手方向振動を引き起こし、前記第２モータは、前記第１コンベヤトレイの端部と前記ベースとの間の長手方向の相対的な動きを引き起こす。
【００１７】
好ましくは、前記ベースは、前記第１表面を与える長手延伸底壁と、一対の長手延伸側壁とを含み、各側壁は、前記底壁が間に配置されるように前記底壁から上に向かって延び、前記第１コンベヤトレイの端部は前記ベースに対して入れ子とされる。
【００１８】
代替的な好ましい形態では、前記セグメントは、
被運搬物体が支持される第１長手延伸表面を有する第１コンベヤトレイと、
第２長手延伸表面を有する第２コンベヤトレイであって、前記長手表面は、前記第１表面から前記第２表面に材料が運搬されるように配置される第２コンベヤトレイと、
双方のトレイに、その長手方向振動を引き起こすべく動作的に関連づけられる駆動機構であって、前記材料の所定方向における前記表面に沿った運搬を引き起こす駆動機構と
を含み、
前記第１コンベヤトレイは、
長手延伸ベースと、
前記ベースに動作的に関連づけられて前記ベースに対して可動な長手延伸端部と
を含み、
前記端部はまた、前記第１トレイと前記第２トレイとの間に切れ目を与える動作を可能とするべく前記第２コンベヤトレイに対して可動であり、前記切れ目を介して前記アセンブリからの製品が送達される。
【００１９】
好ましくは、前記長手延伸端部は、前記切れ目を与えるべく前記ベースに対して長手方向に動く。
【００２０】
好ましくは、前記ベースは、長手延伸底壁と、前記底壁が間に配置されるように前記底壁から上に向かって延びる一対の長手延伸側壁とを含み、前記長手延伸端部は前記ベースに対して入れ子とされる。
【００２１】
好ましくは、前記端の長手延伸部分は、前記方向の一般に短手に延びる前縁を有する長手延伸端部底壁を有する。
【００２２】
好ましくは、前記前縁は、一般に直線であり、前記方向に対して鋭角をなして延びる。
【００２３】
好ましくは、前記駆動機構は第１モータを含み、前記第１モータは、双方のトレイに対し前記長手方向の振動を引き起こすべく動作的に関連づけられ、前記駆動機構は第２モータを含み、前記第２モータは、前記ベース及び前記端部に対しこれらの間の相対的な動きを引き起こすべく動作的に関連づけられる。
【図面の簡単な説明】
【００２４】
添付の図面を参照する態様で本発明の好ましい形態がここに記載される。
【００２５】
【図１】コンベヤアセンブリ並びに計量及び包装される製品を受け取る複数の計量機械の概略的な等角投影図である。
【図２】図１のコンベヤアセンブリの一部の概略的な等角投影図である。
【図３】図２のコンベヤ部分の修正の概略的な等角投影図である。
【図４】図１のスリップコンベヤアセンブリの概略的な上から見た等角投影図である。
【図５】図４のアセンブリのトレイの概略的な側面図である。
【図６】図４のアセンブリの一部の概略的な側面図である。
【図７】図３のトレイの一部の概略的な端面図である。
【図８】図４のアセンブリの概略的な下から見た等角投影図である。
【発明を実施するための形態】
【００２６】
添付図面において、スリップコンベヤアセンブリ１０が概略的に描かれている。アセンブリ１０が、包装される製品（スナック食品のような）を受け取る。製品は、スリップコンベヤ５０によってコンベヤアセンブリ１０まで送達される。スリップコンベヤ５０は、方向５１において直線的に往復運動し、方向５２においてコンベヤ５０の長手方向に製品を輸送する。
【００２７】
コンベヤアセンブリ１０に沿って通過する製品は計量機械５３まで送達される。各計量機械の下には、上述の特許文献４に記載されるような関連包装機械が存在する。
【００２８】
スリップコンベヤ５０は、方向５２において長手方向に延び、被運搬製品が載置されるフロアを有する。当該フロアから上に向かって長手延伸側面５５が延びている。側面５５はフロア５４から上に向かって発散している。したがって、コンベヤ５０は、端壁５６と送達部５７とを有する細長い樋を有する。
【００２９】
送達部５７において、フロア５４には複数のスロット５８が設けられる。複数のスロット５８は、フィンガ５９によって分離される。スロット５８は、方向５２において長手に延びて短手幅６０を有する。図２の実施例において、短手幅６０は方向５２において増大する。
【００３０】
端部５７には、複数の長手延伸隆起６１が設けられる。当該隆起６１同士の間には、スロット５８まで材料を向ける樋が配置される。
【００３１】
図２に示される端部５７の動作において、ポテトチップス等のスナック食品のような製品がフロア５４を下り、当該製品が隆起６１に係合するまで移動する。製品はその後、樋の中に向けられる。スロット５８において、大きな製品は、スロット６０の狭い部分を通って落下する小さな製品よりもさらに端部５７に沿って進む。したがって、コンベヤ５０によって運搬される製品は、サイズの大きな製品が方向５２においてコンベヤアセンブリ１０を短手方向に横切るように、コンベヤアセンブリ１０を横切る短手方向に分散される。すなわち、小さな製品はコンベヤアセンブリ１０の一側面に隣接して配置され、大きな製品はコンベヤアセンブリ１０の他側面に向かって配置される。
【００３２】
コンベヤ５０は、コンベヤアセンブリ１０に対して一般に直交して長手方向に延びる。なおもさらなる端部５７が、コンベヤアセンブリ１０の上方に、これを横切る短手方向に延びるように配置される。
【００３３】
図１に最も良好に示されるように、コンベヤアセンブリ１０は切れ目２６ａ、２６ｂ、及び２６ｃを与える。切れ目２６ａ、２６ｂ、及び２６ｃを通って、製品はスリップコンベヤ６２まで送達される。各コンベヤ６２は、計量機械５３のそれぞれに動作的に関連づけられる。
【００３４】
小さな製品（小さなポテトチップ）は、コンベヤアセンブリ１０の長手縁６３に隣接して配置されるので、当該小さな製品は切れ目２６ａを通り抜ける。切れ目２６ａは、関連するコンベヤ６２への製品送達を目的として設けられる。次の切れ目２６ｂが中間サイズの材料を関連コンベヤ６２に送達する一方、大きな材料がコンベヤアセンブリ１０の長手延伸縁部６４に隣接して配置されるときに、最も下流の切れ目２６ｃが、大きな製品を関連コンベヤ６２に送達する。
【００３５】
図３には、端部５７の修正が概略的に描かれている。この実施例では、スロット５８が第１セットのスロット６５及び第２セットのスロット６６に置換される。第１セットのスロット６５は短手幅を有しコンベヤ５０の長手方向に延び、第２セットのスロット６６もまたコンベヤ５０の長手方向に延びる。スロット６５及び６６はまた、隆起６１によって分離される樋に配置される。この特定の実施例において、スロット６５とスロット６６とは長手方向に整合される。また、この実施例において、スロット６６は、送達部５７の縁端まで延びる。
【００３６】
添付図面の図４から８には、スリップコンベヤアセンブリ１０が概略的に描かれている。アセンブリ１０は、複数のコンベヤトレイ（セグメント）１１、１２、及び１３を含む。これらは、材料を方向１４に運搬するべく動作する。袋１１、１２、及び１３がセグメントを与える。トレイ１１、１２、及び１３の下に配置されるのは、短手方向コンベヤ６２である。トレイ１１、１２、及び１３によって運搬される材料は、計量機械及び包装機械への送達を目的として短手方向コンベヤ６２に選択的に送達することができる。コンベヤ６２は、運搬された材料を方向１６に輸送する。コンベヤ６２はまた、スリップコンベヤであり得る。
【００３７】
コンベヤ１１、１２、及び１３のそれぞれは、長手延伸トレイ１７を含む。トレイ１７はベース１８及び端部１９を含む。ベース１８及び端部１９は、長手延伸表面２０を与える。表面２０の上には、方向１４に運搬される材料が載置される。
【００３８】
ベース１８は、長手延伸底壁２１と、上に向かって延びる一対の側壁２２とを含む。側壁２２は、底壁２１に取り付けられて上に向かって発散する。その結果、底壁２１は側壁２２間に配置される。
【００３９】
端部１９もまた、底壁２３と、上に向かって延びかつ発散する側壁２４とを含む。端部１９はベース１８と非常に似た構成を有するので、端部１９は、ベース１８の下に入れ子とされるが、これと摺動可能に接触する。その結果、端部１９は、ベース１８に対して長手方向２５に可動となる。方向２５と方向１４とは平行である。
【００４０】
端部１９はまた、その関連ベース１８に対して可動であることにより、次の隣接トレイ１１、１２、又は１３に対しても可動となる。端部１９が次の下流トレイ１１、１２、又は１３に対して可動なので、端部１９は切れ目２６をもたらすべく可動となる。コンベヤ１２の端部１９が方向１４において前方に動く結果、コンベヤ１２とコンベヤ１３との間には切れ目が存在しない。しかしながら、コンベヤ１１の端部１９がその関連ベース１８に対して引っ込められる結果、切れ目２６が存在することとなる。切れ目２６は、長手長さ２７及び短手幅２８による面積を有する。端部１９をその関連ベースに対して動かすことにより、切れ目２６の面積サイズを切れ目２６の面積の短手幅を変更して調整することができる。
【００４１】
上述の好ましい実施例では、各端部１９は、方向１４に向かって鋭角で傾斜する前縁２９を有する。好ましくは、前縁２９は直線である。次の隣接底壁２１は、方向１４に対して直交する後縁３０を有する。しかしながら、切れ目２６はまた、方向１４に対して鋭角をなして傾斜する縁３０と、方向１４に対して直交する縁２９とによっても、もたらされ得ることがわかる。
【００４２】
上述の好ましい実施例では、端部１９は、その関連ベース１８の下流端に存在する。しかしながら、上記アセンブリ１０はまた、端部１９がベース１８の上流端に存在するように構成することもできる。
【００４３】
モータ及び制御アセンブリ３１が、トレイ１２を直線的に振動（往復運動）させる。モータ及び制御アセンブリ３１はクランクシャフト３２を含む。クランクシャフト３２は、一般に直立軸３３まわりに回転する。シャフト３２から延びているのは、リンク３５に取り付けられたクランクアーム３４である。リンク３５は、一般に平行な一対のリンケージ３６の一方に枢動可能に取り付けられる。リンケージ３６には、方向３７における角度をなす振動が引き起こされる。リンケージ３６の上端がトレイ１２に枢動可能に取り付けられるので、トレイ１２には、方向３８の振動（往復運動）が引き起こされる。
【００４４】
各端部１９はキャリッジ３８によって支持される。キャリッジ３８はキャリッジベース３９を含む。キャリッジベース３９には、端部１９が取り付けられる。キャリッジベース３９から延びているのは、長手延伸キャリッジマウント４０である。キャリッジマウント４０はアイレット４１を有する。アイレット４１は、リンケージ３６をトレイ１２に取り付ける短手シャフト４２に摺動可能に係合する。シャフト４２の一つとキャリッジベース３９との間に延びているのは、モータ４３である。モータ４３は、方向３８において、端部１９の、ベース１８に対する直線的な動きを引き起こす。例えば、モータ４３は、空気圧シリンダ、又は動力ねじ及び関連被駆動ナットを含む線形駆動機構であり得る。
【００４５】
端部１９がベース１８に取り付けられているので、モータ及び制御アセンブリ３１はまた、端部１９を駆動する。
【００４６】
トレイ１１、１２、及び１３のそれぞれは、その関連駆動機構を有する。当該駆動機構は、モータ及び制御機構３１と、関連端部１９を駆動するモータ４３とを含む。
【００４７】
上述の好ましい実施例の利点は、端部１９の、その関連ベース１８に対する動きにより、切れ目２６のサイズ、特に、切れ目２６がコンベヤアセンブリ１０にわたってどの程度遠くまで延びるのかが変えられることにある。
【００４８】
図１に最も良好に示されるように、スロット２６ａは、コンベヤアセンブリ１０にわたって部分的に延びるに過ぎないが、切れ目２６ｃは、コンベヤアセンブリ１０にわたってほぼ全体に延びる。
【００４９】
上述の好ましい実施例は、計量機械５３のそれぞれが、特定サイズの袋に入れるための所望サイズの製品を受け取るという利点を有する。例えば、スロット２６ｃを介して製品を受け取る計量機械５３は、大きなポテトチップのような大きな製品を受け取るように大きな袋を形成し得る。これは、スロット２６ａを介して小さい製品を受け取る計量機械５３と対照的である。
【図１】
2013209221.tif 000003
【図２】
2013209221.tif 000004
【図３】
2013209221.tif 000005
【図４】
2013209221.tif 000006
【図５】
2013209221.tif 000007
【図６】
2013209221.tif 000008
【図７】
2013209221.tif 000009
【図８】
2013209221.tif 000010
【外国語明細書】
2013209221.tif 000011
2013209221.tif 000012
2013209221.tif 000013
2013209221.tif 000014
2013209221.tif 000015
2013209221.tif 000016
2013209221.tif 000017
2013209221.tif 000018
2013209221.tif 000019
2013209221.tif 000020
2013209221.tif 000021
2013209221.tif 000022
2013209221.tif 000023
2013209221.tif 000024
2013209221.tif 000025
2013209221.tif 000026
2013209221.tif 000027
2013209221.tif 000028
2013209221.tif 000029
2013209221.tif 000030
2013209221.tif 000031
2013209221.tif 000032